(57)【要約】【課題】カメラの揺れを抑制する。【解決手段】カメラ用装着具１は、人体Ｕの側頭部Ｈｒ、Ｈｌに沿って掛け回される第１ベルト２１と、第１ベルト２１に設けられ、左側頭部Ｈｌに当接するように配置された支持面３２と、支持面３２の下方に配置され、カメラ１００を装着可能なマウント部４と、支持面３２の下方に向かって延びるアーム部材５と、を備える。アーム部材５の下端部５３は、マウント部４の下方に位置するとともに、左側頭部Ｈｌのうち、支持面３２との当接部位Ｒ１よりも下方に位置する部位Ｒ２に対して側方から当接するように配置されている。【選択図】図２
2020140174.tif 000002
【特許請求の範囲】
【請求項１】
人体にカメラを装着するためのカメラ用装着具であって、
前記人体の側頭部に沿って掛け回される帯状体と、
前記帯状体に設けられ、前記側頭部に当接するように配置された支持面と、
前記支持面の下方に配置され、前記カメラを装着可能な装着部と、
前記支持面の下方に向かって延びる腕部と、を備え、
前記腕部の下端部は、前記装着部の下方に位置するとともに、前記側頭部のうち、前記支持面との当接部位よりも下方に位置する部位に対して側方から当接するように配置されている
ことを特徴とするカメラ用装着具。
【請求項２】
請求項１に記載されたカメラ用装着具において、
前記腕部の下端部に設けられ、前記側頭部に当接するよう配置された弾性部材を備える
ことを特徴とするカメラ用装着具。
【請求項３】
請求項１または２に記載されたカメラ用装着具において、
前記腕部は、前記支持面に対する前後位置を変更可能に構成されている
ことを特徴とするカメラ用装着具。
【請求項４】
請求項１から３のいずれか１項に記載されたカメラ用装着具において、
前記人体の頭頂部に沿って掛け回される第２の帯状体を備え、
前記第２の帯状体の一端部は、前記支持面をなすパッド部材に接続されている
ことを特徴とするカメラ用装着具。
【請求項５】
請求項１から４のいずれか１項に記載されたカメラ用装着具において、
前記支持面は、少なくとも前後方向に沿って延び、
前記装着部および前記腕部は、前後方向においては、前記支持面の前端部と後端部との間に配置される
ことを特徴とするカメラ用装着具。
【請求項６】
請求項１から５のいずれか１項に記載されたカメラ用装着具において、
前記装着部は、上下方向においては、前記支持面と、前記腕部の下端部と、の間に配置される
ことを特徴とするカメラ用装着具。
【請求項７】
請求項６に記載されたカメラ用装着具において、
前記腕部における中途の部位は、前記側頭部から離間するように湾曲し、
前記装着部は、前記中途の部位に設けられている
ことを特徴とするカメラ用装着具。
【請求項８】
請求項１から７のいずれか１項に記載されたカメラ用装着具と、
前記カメラ用装着具に装着されたカメラと、を備える
ことを特徴とする撮像システム。
【発明の詳細な説明】
【技術分野】
【０００１】
ここに開示する技術は、カメラ用装着具および撮像システムに関する。
【背景技術】
【０００２】
人体の頭部にカメラを装着するための、いわゆるカメラ用装着具は公知である。
【０００３】
例えば特許文献１には、人体の頭部に沿って掛け回される帯状体（バンド）と、この帯状体に設けられ、カメラ（撮像装置）を装着可能としたバンド取付部と、を備えたカメラ用装着具（取付具）が開示されている。
【０００４】
前記特許文献１によれば、バンド取付部にカメラを取り付けた状態で、そのバンド取付部を人体の側頭部に当接させることができる。これにより、人体の頭部、特に側頭部付近にカメラを取り付けることが可能になる。
【先行技術文献】
【特許文献】
【０００５】
【特許文献１】特開２０１７−２８３４８号公報
【発明の概要】
【発明が解決しようとする課題】
【０００６】
本願発明者らは、鋭意検討を重ねた結果、例えば帽子、ヘルメット等との干渉を避けるために、帯状体に対してカメラを下方に移動させたい、というニーズがあることに気付いた。
【０００７】
前述の如きニーズに応えるためには、例えば、前記特許文献１に記載されているようなバンド取付部に対し、カメラを吊り下げて固定することが考えられる。この場合、カメラを下方に移動させることができるものの、バンド取付部を支点としてカメラが揺れる可能性がある。
【０００８】
また近年、カメラによる撮像時間を延長するために、カメラの放熱性能を向上させようとする試みがある。そのための方策としては、カメラの筐体周辺の放熱構造を充実させることが考えられるものの、カメラ全体の重量が増加してしまうため、前述した揺れの問題が一層顕著になる。
【０００９】
ここに開示する技術は、かかる点に鑑みてなされたものであり、その目的とするところは、カメラの揺れを抑制することにある。
【課題を解決するための手段】
【００１０】
ここに開示する技術は、人体にカメラを装着するためのカメラ用装着具に係る。このカメラ用装着具は、前記人体の側頭部に沿って掛け回される帯状体と、前記帯状体に設けられ、前記側頭部に当接するように配置された支持面と、前記支持面の下方に配置され、前記カメラを装着可能な装着部と、前記支持面の下方に向かって延びる腕部と、を備え、前記腕部の下端部は、前記装着部よりも下方に位置するとともに、前記側頭部のうち、前記支持面との当接部位よりも下方に位置する部位に対して側方から当接するように配置されている。
【００１１】
ここで、「側頭部」の語は広義で用いる。すなわち、本開示における側頭部は、頭部の側部一般を指し、前頭部、頭頂部および後頭部のうち人体の側方に面する部位を含む。
【００１２】
この構成によれば、帯状体に支持面が設けられる。この支持面の下方に装着部を配置したことで、支持面に対するカメラの相対位置が設定されるとともに、帯状体に対してカメラを下方に移動させることが可能となる。この場合、支持面を支点としたカメラの揺れが懸念されるところ、本願発明者らは、支持面から下方に向かって腕部を延ばすとともに、その腕部の下端部を側頭部に当接させることにした。
【００１３】
ここで、前記の構成によれば、装着部は、上下方向においては、支持面と、腕部の下端部と、の間に配置される。このように配置することで、カメラの揺れを抑制することが可能となる。
【００１４】
また、前記カメラ用装着具は、前記腕部の下端部に設けられ、前記側頭部に当接するよう配置された弾性部材を備える、としてもよい。
【００１５】
この構成によれば、腕部の下端部を、側頭部に対して良好に密着させることが可能となり、カメラの揺れを抑制する上で有利になる。
【００１６】
また、前記腕部は、前記支持面に対する前後位置を変更可能に構成されている、としてもよい。
【００１７】
例えば、右側頭部と左側頭部の間でカメラの装着位置を変更する場合、支持面等を左右反転して用いることが考えられる。この場合、腕部の配置次第では、人体の耳等に対し、腕部が干渉する可能性がある。
【００１８】
対して、前記のように、腕部の前後位置を変更可能に構成することで、耳等と腕部との干渉を抑制することができる。これにより、カメラの装着位置を左右で入れ替える上で有利になり、カメラ用装着具の使い勝手を向上させることができる。
【００１９】
また、前記カメラ用装着具は、前記人体の頭頂部に沿って掛け回される第２の帯状体を備え、前記第２の帯状体の一端部は、前記支持面をなすパッド部材に接続されている、としてもよい。
【００２０】
この構成によれば、カメラ用装着具の高さ位置を良好に保ち、頭部からの脱落を抑制することができる。
【００２１】
また、前記支持面は、少なくとも前後方向に沿って延び、前記装着部および前記腕部は、前後方向においては、前記支持面の前端部と後端部との間に配置される、としてもよい。
【００２２】
この構成によれば、支持面を前後方向に沿って延ばすとともに、その前端部と後端部との間に装着部および腕部を配置することで、カメラの揺れを抑制することが可能となる。
【００２３】
また、前記装着部は、上下方向においては、前記支持面と、前記腕部の下端部と、の間に配置される、としてもよい。
【００２４】
詳しくは、前記腕部における中途の部位は、前記側頭部から離間するように湾曲し、前記装着部は、前記中途の部位に設けられている、としてもよい。
【００２５】
ここで、「腕部における中途の部位」とは、腕部のうち、その上端部と下端部との間に位置する部位をいう。
【００２６】
前記の構成によれば、腕部における中途の部位を、側頭部から離間させることで、メガネのつる、インカム等と、腕部との干渉を抑制することができる。
【００２７】
それと同時に、そうして離間させた中途の部位に装着部を設けることで、カメラが発熱したときに、その熱が人体に及ぶのを抑制することもできる。
【００２８】
また、ここに開示する技術は、本開示に係るカメラ用装着具と、このカメラ用装着具に装着されたカメラと、を備える撮像システムにも関する。
【発明の効果】
【００２９】
以上説明したように、前記カメラ用装着具および撮像システムによれば、カメラの揺れを抑制することができる。
【図面の簡単な説明】
【００３０】
【図１】図１は、撮像システムの概略構成を例示する斜視図である。
【図２】図２は、カメラ用装着具の構成を例示する斜視図である。
【図３】図３は、カメラ用装着具の構成を例示する正面図である。
【図４】図４は、カメラ用装着具の構成を例示する平面図である。
【図５】図５は、カメラ用装着具の構成を例示する斜視図である。
【図６】図６は、カメラ用装着具の構成を例示する分解斜視図である。
【図７】図７は、カメラ用装着具の構成を例示する右側面図である。
【図８】図８は、カメラ用装着具の構成を例示する左側面図である。
【図９】図９は、パッド部材の構成を例示する側面図である。
【図１０】図１０は、カメラ用装着具と人体との当接部位を例示する図である。
【図１１】図１１は、カメラ用装着具を左右反転させた構成を例示する斜視図である。
【発明を実施するための形態】
【００３１】
以下、本開示の実施形態を図面に基づいて説明する。なお、以下の説明は例示である。
【００３２】
本実施形態に係るカメラ用装着具は、人体（特に、人体の頭部）にカメラを装着するために用いられる装着具である。本明細書では、そうしたカメラ用装着具を備えてなる撮像システムに関しても詳細に説明をする。
【００３３】
＜システム構成＞
図１は撮像システムＳの概略構成を例示する斜視図であり、図２はカメラ用装着具１の構成を例示する斜視図である。また、図３はカメラ用装着具１の構成を例示する正面図であり、図４はカメラ用装着具１の構成を例示する平面図である。
【００３４】
以下の説明において、「前」とは、カメラ用装着具１を装着した状態（以下、単に「為装着状態」という）での、人体Ｕの前頭部と後頭部を結ぶ方向（以下、単に「前後方向」という）における前頭部側を指す。同様に「後」とは、装着状態での、前後方向における後頭部側を指す。
【００３５】
また、「左」とは、装着状態での、人体Ｕの右側の側頭部（右側頭部Ｈｒ）と、左側の側頭部（左側頭部Ｈｌ）を結ぶ方向（以下、単に「左右方向」という）のうち、右側頭部Ｈｒから左側頭部Ｈｌに向かう方向を指す。同様に、「右」とは、装着状態での左右方向のうち、左側頭部Ｈｌから右側頭部Ｈｒへ向かう方向を指す。
【００３６】
また、「上」とは、装着状態では、人体Ｕの頸部と頭頂部Ｈｔを結ぶ方向（以下、単に「上下方向」という）における頭頂部側を指す。同様に、「下」とは、装着状態での、上下方向における頸部側を指す。
【００３７】
非装着状態（カメラ用装着具１を人体Ｕから取り外した状態）においても、これらに対応する方向を、それぞれ「前」、「後」、「左」、「右」、「上」および「下」という。
【００３８】
図１に示すように、撮像システムＳは、人体Ｕにカメラ１００を装着するためのカメラ用装着具１と、このカメラ用装着具１によって装着されるカメラ１００を、を備えている。同図に例示した人体Ｕは、眼鏡Ｇを装着している。この眼鏡ＧのつるＧａの上下位置が、人体Ｕの視線の上下位置に相当する。
【００３９】
カメラ用装着具１は、人体Ｕの頭部Ｈに沿って掛け回されるベルト部２と、このベルト部２に設けられるパッド部材３と、を有している。ここで、パッド部材３の裏面は、人体Ｕの右側頭部Ｈｒに当接するように配置されている。
【００４０】
パッド部材３の下方には、カメラ１００を装着可能としたマウント部４が配置されており、このマウント部４に対してカメラ１００を取り付けるようになっている。
【００４１】
一方、カメラ１００は、前後方向に沿って延びる矩形状の外形を有しており、その前面には撮像用のレンズ１０１が設けられている一方、後面にはケーブル（不図示）を接続することができる。
【００４２】
具体的に、カメラ１００、特にカメラ１００のレンズ１０１は、上下方向においては、人体Ｕの視線の下方に配置される。またカメラ１００は、前後方向においては、人体Ｕの耳と、顔の前面との間（具体的には、揉み上げと頬との間）に配置される。
【００４３】
レンズ１０１によって撮像された画像は、ケーブルを介して不図示の本体に送信される。このように、図１に示す例では、カメラ１００と本体とを有線で接続するように構成されているが、この構成には限定されない。例えば、カメラ１００と本体とを無線で接続してもよい。
【００４４】
また、カメラ１００の上面には、上方に向かって立ち上がる鍔部１０２が設けられている。この鍔部１０２は、前後方向に沿って延びる板状に形成されており、これを板厚方向に貫く貫通孔（不図示）が設けられている。この貫通孔には、後述の第２ボルト６２ａを挿通させることができる。
【００４５】
以下、カメラ用装着具１の構成について、詳細に説明をする。
【００４６】
＜カメラ用装着具１＞
図５はカメラ用装着具１の構成を例示する斜視図であり、図６はカメラ用装着具１の構成を例示する分解斜視図である。また、図７はカメラ用装着具１の構成を例示する右側面図であり、図８はカメラ用装着具１の構成を例示する左側面図である。また、図９はパッド部材３の構成を例示する側面図であり、図１０はカメラ用装着具１と人体Ｕとの当接部位Ｒ１、Ｒ２を例示する図である。
【００４７】
図５〜図６に例示するように、カメラ用装着具１は、主たる構成要素として、前述のベルト部２、パッド部材３およびマウント部４と、カメラ１００の揺れを抑制するためのアーム部材５と、を備えている。
【００４８】
（ベルト部２）
このうち、ベルト部２は、人体Ｕの側頭部Ｈｌ、Ｈｒに沿って掛け回される第１ベルト２１と、人体Ｕの頭頂部Ｈｔに沿って掛け回される第２ベルト２２と、を有している。
【００４９】
ここで、第１ベルト２１は、人体Ｕの左側頭部Ｈｌから、その前頭部、右側頭部Ｈｒおよび後頭部を取り囲むように掛け回される。第１ベルト２１の高さ位置は、人体の視線よりも上側に配置される。第１ベルト２１は、本開示における「帯状体」の例示である。
【００５０】
なお、第１ベルト２１の周長は、例えばバックル状の機構、ボタン類、または、面ファスナー等を用いて調整可能である。第１ベルト２１の周長を調整することで、これを側頭部Ｈｌ、Ｈｒに密着させることができる。
【００５１】
また、第１ベルト２１は、パッド部材３と、第２パッド部材７と、に挿通されている（第２パッド部材７については図８を参照）。これにより、例えば図１に示すように、第１ベルト２１を人体Ｕの頭部Ｈにフィットさせたときに、パッド部材３の裏面（支持面）３２を左側頭部Ｈｌに当接させる一方、第２パッド部材７の裏面を左側頭部Ｈｌに当接させることができる。
【００５２】
第２ベルト２２は、人体Ｕの頭頂部Ｈｔに沿って掛け回されている。第２ベルト２２の両端は、それぞれ、カメラ用装着具１における右側頭部Ｈｒ付近の部位と、左側頭部Ｈｌ付近の部位と、に接続されている。第２ベルト２２は、本開示における「第２の帯状体」の例示である。
【００５３】
具体的に、第２ベルト２２の左端部は、支持面３２をなすパッド部材３に接続されている。一方、第２ベルト２２の右端部は、第２パッド部材７接続されている。
【００５４】
なお、第２ベルト２２の長さは、例えばバックル状の機構、ボタン類、または、面ファスナー等を用いて調整可能である。第２ベルト２２の長さを調整することで、これを頭頂部Ｈｔに密着させることができる。
【００５５】
（パッド部材３）
図１１等に示すように、パッド部材３は、前後方向に沿って延びる板状に形成されている。パッド部材３の表面は、アーム部材５を取り付けるための取付面３１として機能する。一方、パッド部材３の裏面は、側頭部（図１に示す例では左側頭部Ｈｌ）に当接する支持面３２として機能する。
【００５６】
詳しくは、図１１に示すように、パッド部材３の左端部および右端部には、第１ベルト２１を挿通させるための第１および第２開口部３ａ、３ｂが設けられている。第１開口部３ａおよび第２開口部３ｂは、それぞれ、上下方向に沿って延びる矩形状の開口部として形成されている。例えば、第１開口部３ａから第１ベルト２１を挿入し、第１ベルト２１の表面に沿わせる。その上で、第１ベルト２１を第２開口部３ｂから繰り出すことで、第１ベルト２１をパッド部材３に挿通させることが可能となる。
【００５７】
また、パッド部材３の上端部には、第２ベルト２２を接続するための第３開口部３ｃが設けられている。第３開口部３ｃは、左右方向に沿って延びる矩形状の開口部として形成されている。この第３開口部３ｃに第２ベルト２２を挿入することで、第２ベルト２２をパッド部材３に接続することが可能となる。
【００５８】
また、パッド部材３の裏面は、第１ベルト２１の裏面（人体Ｕの頭部に密着する面）に沿って延びる。この裏面は、人体Ｕの側頭部（図１に示す例では、左側頭部Ｈｌ）に当接するように配置された支持面３２をなす。
【００５９】
詳しくは、パッド部材３における支持面３２は、少なくとも前後方向に沿って延びていると同時に、人体Ｕの側頭部Ｈｌ、Ｈｒに沿うように湾曲している。このように湾曲させたことで、第１ベルト２１を人体Ｕの左側頭部Ｈｌに密着させたときに、その左側頭部Ｈｌに支持面３２を当接させることができる。
【００６０】
一方、パッド部材３の表面には、前後一対の取付穴３３ｆ、３３ｂが設けられている。この表面は、アーム部材５を取付可能とした取付面３１をなす。
【００６１】
詳しくは、パッド部材３における取付面３１の下端部には、前後方向に並んだ一対の取付穴３３ｆ、３３ｂが設けられている。一対の取付穴３３ｆ、３３ｂは、前後方向においては、取付面３１および支持面３２の前端部と、取付面３１および支持面３２の後端部と、の間に配置されている。また、一対の取付穴３３ｆ、３３ｂは、上下方向においては、第１開口部３ａ、第２開口部３ｂおよび第３開口部３ｃの下方に配置されている。
【００６２】
さらに、各取付穴３３ｆ、３３ｂは、パッド部材３を厚み方向に貫通しており、支持面３２上に開口している。また、各取付穴３３ｆ、３３ｂは、アーム部材５の上端部５１に開口させた第１ボルト孔５４と略同径である。
【００６３】
第１ボルト孔５４、および、各取付穴３３ｆ、３３ｂには、第１締結具６１をなす第１ボルト６１ａを挿通させることができる。この第１ボルト６１ａは、第１締結具６１をなす第１ナット６１ｂによって固定することができる。
【００６４】
したがって、アーム部材５の取付に際しては、一対の取付穴３３ｆ、３３ｂのいずれかと、アーム部材５の第１ボルト孔５４とを重ね合わせた状態で、取付面３１側から第１ボルト孔５４に第１ボルト６１ａを挿通する。そして、図６および図８に示すように、支持面３２側から第１ボルト６１ａに第１ナット６１ｂを締結することで、パッド部材３に対してアーム部材５を取り付けることができる。
【００６５】
このとき、一対の取付穴３３ｆ、３３ｂのいずれかを選択し、選択された一方に第１ボルト６１ａを挿通することで、パッド部材３、ひいては支持面３２に対するアーム部材５の前後位置を変更することができる（図７〜図８の２点鎖線を参照）。
【００６６】
このように、本実施形態に係るアーム部材５は、支持面３２に対する前後位置を変更可能に構成されている。アーム部材５は、本実施形態における「腕部」の例示である。
【００６７】
（マウント部４およびアーム部材５）
図１等に例示するように、カメラ１００を装着可能としたマウント部４は、パッド部材３および支持面３２の下方に配置されている。本実施形態に係るマウント部４は、アーム部材５における中途の部位に設けられている。マウント部４は、本実施形態における「装着部」の例示である。
【００６８】
すなわち、本実施形態に係るアーム部材５は、図８等に示すように、支持面３２の下方に向かって延びる腕状に形成されている。図１〜図１０に示す例では、アーム部材５は、前後一方の取付穴３３ｆから下方に向かって延びている。
【００６９】
アーム部材５の上端部５１は、前述のようにパッド部材３に取り付けられるようになっている。一方、アーム部材５における中途の部位５２は、人体Ｕの左側頭部Ｈｌから離間するように湾曲している。
【００７０】
すなわち、アーム部材５は、図３に示すように、その上端部５１と下端部５３とを架け渡すようなブリッジ状に湾曲している。そのため、アーム部材５の上端部５１と下端部５３との間に位置する中途の部位５２は、人体Ｕの左側頭部Ｈｌから離間することになる。
【００７１】
マウント部４は、アーム部材５における中途の部位５２に設けられている。具体的に、本実施形態に係るマウント部４は、そうした中途の部位５２における外面（装着時に人体Ｕと向かい合わない面）に設けられており、この外面から外方（図５〜図６に示す例では左方）に向かって延びている。アーム部材５にマウント部４を設けたことで、このマウント部４もまた、前後方向においては、支持面３２の前端部と後端部との間に配置されることになる。
【００７２】
具体的に、マウント部４は、カメラ１００に設けた鍔部１０２を挿入可能な溝部４１と、この溝部４１を貫く第２ボルト孔４２と、を有している。このうち、溝部４１には、前述の鍔部１０２を挿入することができる。また、第２ボルト孔４２には、第２締結具６２をなす第２ボルト６２ａを挿通させることができる。この第２ボルト６２ａは、第２締結具６２をなす第２ナット６２ｂによって固定することができる。
【００７３】
したがって、カメラ１００の装着に際しては、そのカメラ１００の鍔部１０２を溝部４１に挿入した上で、取付面３１側から第２ボルト孔４２に第２ボルト６２ａを挿通させる。前述のように、鍔部１０２、特に鍔部１０２の貫通孔には第２ボルト６２ａを挿通させることができる。そして、図６および図８に示すように、支持面３２側から第２ボルト６２ａに第２ナット６２ｂを締結することで、マウント部４に対してカメラ１００を取り付けることができる。
【００７４】
また、カメラ１００の取り外しに際しては、第２ナット６２ｂによる締結を解除した上で、第２ボルト孔４２から第２ボルト６２ａを引き抜けばよい。このように、本実施形態に係るマウント部４は、カメラ１００を着脱自在に構成されている。
【００７５】
なお、第２ボルト孔４２は、その中心軸を左右方向に沿わせるように延びている。このように形成することで、左右方向に沿って延びるロール軸まわりに、カメラ１００を回動させることができる。これにより、カメラ１００の取付角度を調整することができる。
【００７６】
また、上記のようにマウント部４をレイアウトしたことで、アーム部材５の下端部５３は、マウント部４よりも下方に位置することになる。この下端部５３は、前述の装着状態において、人体Ｕの左側頭部Ｈｌに対して側方から当接するように配置されている。
【００７７】
具体的に、アーム部材５の下端部５３は、図１０に示すように、人体Ｕの左側頭部Ｈｌのうち、この左側頭部Ｈｌと支持面３２との当接部位Ｒ１よりも下方に位置する部位Ｒ２に対して側方から当接するように配置されている。
【００７８】
さらに詳しくは、アーム部材５の下端部５３には、左側頭部Ｈｌに当接するように配置された弾性部材５３ａが設けられている。この弾性部材５３ａは、所定の弾性を有しており、人体Ｕの左側頭部Ｈｌに密着させることができる。
【００７９】
以上説明したように、本実施形態によれば、第１ベルト２１に支持面３２が設けられる。この支持面３２の下方にマウント部４を配置したことで、支持面３２に対するカメラ１００の相対位置が設定されるとともに、第１ベルト２１に対してカメラ１００を下方に移動させることが可能となる。この場合、支持面３２を支点としたカメラ１００の揺れが懸念されるところ、本願発明者らは、支持面３２から下方に向かってアーム部材５を延ばすとともに、そのアーム部材５の下端部５３を側頭部（図例では、左側頭部Ｈｌ）に当接させることにした。
【００８０】
ここで、図５に示すように、マウント部４は、上下方向においては、支持面３２と、アーム部材５の下端部５３と、の間に配置される。このように配置することで、カメラ１００の揺れ、特に、頭部Ｈの前後方向に沿って延びるロール軸まわりの揺れを抑制することが可能となる。
【００８１】
また、図５に示すように、アーム部材５の下端部５３に弾性部材５３ａを設けることで、アーム部材５３の下端部５３を、左側頭部Ｈｌに対して良好に密着させることが可能となり、カメラ１００の揺れを抑制する上で有利になる。
【００８２】
また、例えば、左側頭部Ｈｌと左側頭部Ｈｌの間でカメラ１００の装着位置を変更する場合、支持面３２等を左右反転して用いることが考えられる。この場合、アーム部材５の配置次第では、人体Ｕの耳等に対し、腕部が干渉する可能性がある。
【００８３】
対して、図７および図８に示すように、アーム部材５の前後位置を変更可能に構成することで、耳等とアーム部材５との干渉を抑制することができる。これにより、カメラ１００の装着位置を左右で入れ替える上で有利になり、カメラ用装着具１の使い勝手を向上させることができる。
【００８４】
また、図３および図４に示すように、カメラ用装着具１に第２ベルト２２を設けことで、カメラ用装着具１の高さ位置を良好に保ち、頭部Ｈからの脱落を抑制することができる。
【００８５】
また、図７および図８に示すように、支持面３２を前後方向に沿って延ばすとともに、その前端部と後端部との間にマウント部４およびアーム部材５を配置することで、カメラ１００の揺れ、特に頭部Ｈの上下方向に沿って延びるヨー軸まわりの揺れを抑制することが可能となる。
【００８６】
また、図１〜図３に示すように、アーム部材５における中途の部位５２を、左側頭部Ｈｌから離間させることで、眼鏡ＧのつるＧａ、インカム等と、アーム部材５との干渉を抑制することができる。
【００８７】
それと同時に、そうして離間させた中途の部位５２にマウント部４を設けることで、カメラ１００が発熱したときに、その熱が人体Ｕに及ぶのを抑制することもできる。
【００８８】
《その他の使用態様》
前記実施形態では、人体Ｕの左側頭部Ｈｌにパッド部材３を密着させるとともに、その左方にカメラ１００を装着するように構成されていたが、この構成には限定されない。本実施形態に係るカメラ用装着具１は、カメラ１００の装着位置を左右反転させることができる。
【００８９】
図１１は、カメラ用装着具１を左右反転させた構成を例示する斜視図である。同図から示唆されるように、カメラ１００の装着位置を左右反転させるためには、アーム部材５を一側の取付穴３３ｆではなく他側の取付穴３３ｂに取り付けた上で、カメラ用装着具１を構成する各部を前後方向および左右方向のそれぞれについて反転させればよい。
【００９０】
この場合、人体Ｕの左方には第２パッド部材７が配置される一方、人体Ｕの右方にパッド部材３、マウント部４およびアーム部材５が配置されることになる。これにより、人体Ｕの右方にカメラ１００を装着することができるようになる。
【００９１】
このように、本実施形態に係るカメラ用装着具１は、アーム部材５の取付位置を変更することで、カメラ１００の装着位置を左右反転させることができる。その場合、各部材のレイアウトは、前記実施形態における「左」の語を「右」に読み替えればよい。例えば、「左側頭部Ｈｌ」の語は、「右側頭部Ｈｒ」に置き換えられることになる。
【符号の説明】
【００９２】
Ｓ      撮像システム
Ｕ      人体
Ｈｒ    右側頭部（側頭部）
Ｈｌ    左側頭部（側頭部）
Ｈｔ    頭頂部
Ｒ１    側頭部と支持面との当接部位
Ｒ２    側頭部と腕部との当接部位
１      カメラ用装着具
２      ベルト部
２１    第１ベルト（帯状体）
２２    第２ベルト（第２の帯状体）
３      パッド部材
３２    支持面
４      マウント部（装着部）
５      アーム部材（腕部）
５２    中途の部位（腕部における中途の部位）
５３    下端部（腕部の下端部）
５３ａ  弾性部材
１００  カメラ
【図１】
2020140174.tif 000003
【図２】
2020140174.tif 000004
【図３】
2020140174.tif 000005
【図４】
2020140174.tif 000006
【図５】
2020140174.tif 000007
【図６】
2020140174.tif 000008
【図７】
2020140174.tif 000009
【図８】
2020140174.tif 000010
【図９】
2020140174.tif 000011
【図１０】
2020140174.tif 000012
【図１１】
2020140174.tif 000013